(57)【要約】      （修正有）【課題】主コンテンツが副コンテンツの表示により隠されることに起因するユーザの不快感を解消又は軽減する観点から、適度な誘目度で副コンテンツを表示することが出来るプログラム、方法および情報端末を提供する。【解決手段】プログラムは、表示画面と、主コンテンツＣ１に対して主コンテンツＣ１の表示範囲をずらす方向を指定方向として認識し、主コンテンツＣ１の表示範囲を指定方向に連続的又は断続的に変化させる表示変更処理により主コンテンツＣ１の全部を表示領域Ａに表示する表示手段とを備える情報端末に、表示手段により表示変更処理が開始されたことを要件として、主コンテンツＣ１とは異なる副コンテンツＣ３を表示領域Ａの一部に表示させる副コンテンツ表示ステップを実行させる。【選択図】図３
2016024734.tif 000002
【特許請求の範囲】
【請求項１】
情報を表示する表示画面と、主コンテンツに対して前記主コンテンツの表示範囲をずらす方向を指定方向として認識し、前記主コンテンツの表示範囲を前記指定方向に連続的又は断続的に変化させる表示変更処理により前記主コンテンツの全部を前記表示画面の一部または全部の領域である表示領域に表示する表示手段とを備える情報端末に、
前記表示手段により前記表示変更処理が開始されたことを要件として、前記主コンテンツとは異なる副コンテンツを前記表示領域の一部に表示させる副コンテンツ表示ステップを実行させることを特徴とするＷＥＢコンテンツ表示プログラム。
【請求項２】
請求項１記載のＷＥＢコンテンツ表示プログラムにおいて、
前記副コンテンツ表示ステップは、前記表示領域において前記指定方向に偏在している指定領域とは異なる領域に前記副コンテンツを表示するステップであることを特徴とするＷＥＢコンテンツ表示プログラム。
【請求項３】
請求項１又は２記載のＷＥＢコンテンツ表示プログラムにおいて、
前記情報端末に
前記表示変更処理終了後から所定時間経過したことを要件として、前記副コンテンツを非表示にする副コンテンツ非表示ステップを実行させることを特徴とするＷＥＢコンテンツ表示プログラム。
【請求項４】
請求項３記載のＷＥＢコンテンツ表示プログラムにおいて、
前記副コンテンツ非表示ステップは、
前記副コンテンツに対する指定操作を検知したことを要件として、副コンテンツ非表示処理を中断するステップであることを特徴とするＷＥＢコンテンツ表示プログラム。
【請求項５】
請求項１〜４のいずれか１項記載のＷＥＢコンテンツ表示プログラムにおいて、
前記情報端末に、
前記副コンテンツを主コンテンツの一部に重畳して表示するように、前記副コンテンツ表示ステップを実行させ、かつ、
前記表示画面の表示変更処理終了後からの経過時間に応じて、前記副コンテンツの一部または全部を透けさせる割合を示す表示透明度を上げる副コンテンツ透明化ステップを実行させることを特徴とするＷＥＢコンテンツ表示プログラム。
【請求項６】
請求項５記載のＷＥＢコンテンツ表示プログラムにおいて、
前記副コンテンツ透明化ステップは、
前記副コンテンツに対する指定操作を検知したことを要件として、前記副コンテンツの一部または全部の表示透明度を下げるステップであることを特徴とするＷＥＢコンテンツ表示プログラム。
【請求項７】
情報を表示する表示画面と、主コンテンツに対して前記主コンテンツの表示範囲をずらす方向を指定方向として認識し、前記主コンテンツの表示範囲を前記指定方向に連続的又は断続的に変化させる表示変更処理により前記主コンテンツの全部を前記表示画面の一部または全部の領域である表示領域に表示する表示手段とを備える情報端末が実行する方法であって、
前記表示変更処理が開始されたことを要件として、前記主コンテンツとは異なる副コンテンツを前記表示領域の一部に表示させる副コンテンツ表示ステップを含むことを特徴とするＷＥＢコンテンツ表示方法。
【請求項８】
情報を表示する表示画面と、
主コンテンツに対して前記主コンテンツの表示範囲をずらす方向を指定方向として認識し、前記主コンテンツの表示範囲を前記指定方向に連続的又は断続的に変化させる表示変更処理により前記主コンテンツの全部を前記表示画面の一部または全部の領域である表示領域に表示する表示手段と、
前記表示変更処理が開始されたことを要件として、前記主コンテンツとは異なる副コンテンツを前記表示領域の一部に表示させるコンテンツ呼出手段とを備えることを特徴とする情報端末。
【発明の詳細な説明】
【技術分野】
【０００１】
本発明は、ＷＥＢコンテンツ表示プログラム、方法及び情報端末に関する。
【背景技術】
【０００２】
従来、ユーザがインターネットを介してＷＥＢコンテンツ（主コンテンツ）を閲覧した際に、主コンテンツを表示しているＷＥＢブラウザ内に副コンテンツ（たとえば広告）を表示するシステムが知られている。
【０００３】
例えば、所定の大きさの表示枠に表示する広告を決定する装置であって、大きさの異なる複数の広告のそれぞれについて前記広告の大きさを記憶する広告記憶手段と、前記複数の広告の中から、前記広告の大きさの合計が前記表示枠の大きさ以下となる一つ以上の前記広告を、前記表示枠に表示する広告として決定する広告決定手段と、を備える広告配信装置が提案されている。（たとえば特許文献１参照）。
【先行技術文献】
【特許文献】
【０００４】
【特許文献１】特開２０１４−０６６７７６号公報
【発明の概要】
【発明が解決しようとする課題】
【０００５】
しかしながら、従来の技術では、主コンテンツを表示しているＷＥＢブラウザ内に副コンテンツ（広告）が表示されることにより、ユーザが閲覧しようとしている主コンテンツの一部を副コンテンツ（広告）が隠してしまうおそれがあった。この結果、ユーザが副コンテンツ（広告）に対して不快感を持ってしまうおそれがあった。
【０００６】
これらの問題に鑑みて、本発明は、主コンテンツが副コンテンツの表示により隠されることに起因するユーザの不快感を解消又は軽減する観点から、適度な誘目度で副コンテンツを表示することが出来るプログラム、方法および情報端末を提供することを目的とする。
【課題を解決するための手段】
【０００７】
本発明のＷＥＢコンテンツ表示プログラムは、
情報を表示する表示画面と、主コンテンツに対して前記表示画面における前記主コンテンツの表示範囲をずらす方向を指定方向として認識し、前記主コンテンツの表示範囲を前記指定方向に連続的又は断続的に変化させる表示変更処理により前記主コンテンツの全部を前記表示画面の一部または全部の領域である表示領域に表示する表示手段とを備える情報端末に、
前記表示手段により前記表示変更処理が開始されたことを要件として、前記主コンテンツとは異なる副コンテンツを前記表示領域の一部に表示させる副コンテンツ表示ステップを実行させることを特徴とする。
【０００８】
当該構成のＷＥＢコンテンツ表示プログラムによれば、表示変更処理が開始されることを要件として副コンテンツが表示領域の一部に表示される。このため、表示変更処理が開始されるまでの主コンテンツに対するユーザの閲覧行為を副コンテンツが阻害することがない。他方、表示変更処理開始後には副コンテンツが表示領域の一部に表示されるので、副コンテンツをユーザに認識させることが出来る。この結果、主コンテンツが副コンテンツの表示により隠されることに起因するユーザの不快感を解消又は軽減する観点から、適度な誘目度で副コンテンツを表示することが出来る。
【０００９】
本発明のＷＥＢコンテンツ表示プログラムにおいて、
前記副コンテンツ表示ステップは、前記表示領域において前記指定方向に偏在している指定領域とは異なる領域に前記副コンテンツを表示するステップであることが好ましい。
【００１０】
表示変更処理が実行される場合、ユーザは指定領域（たとえば下方向に偏在する領域）を注視している蓋然性が高い。この点に着目して構成された当該構成のＷＥＢコンテンツ表示プログラムによれば、表示領域のうち、指定領域と異なる領域（たとえば上方向に偏在する領域）に副コンテンツが表示される。このため、ユーザが注視していると推定される領域（指定領域）以外の領域に副コンテンツが表示されることとなる。この結果、ユーザが注視している主コンテンツが副コンテンツの表示により隠されることに起因するユーザの不快感を解消又は軽減する観点から、適度な誘目度で副コンテンツを表示することが出来る。
【００１１】
本発明のＷＥＢコンテンツ表示プログラムにおいて、
前記情報端末に
前記表示変更処理終了後から所定時間経過したことを要件として、前記副コンテンツを非表示にする副コンテンツ非表示ステップを実行させることが好ましい。
【００１２】
表示変更処理が終わると、ユーザは、表示領域の一部の領域だけでなく、表示領域上の様々な領域にも関心を持つようになる蓋然性が高い。この結果、副コンテンツがユーザが閲覧しようとする主コンテンツを隠してしまうおそれがある。この点に着目して構成された当該構成のＷＥＢコンテンツ表示プログラムによれば、表示変更処理終了後から所定時間は副コンテンツが表示されるが、所定時間経過後には副コンテンツが非表示となる。この結果、副コンテンツの表示によって主コンテンツが隠れたたままという事態が防止される。この結果、主コンテンツが副コンテンツの表示により隠されることに起因するユーザの不快感を解消又は軽減する観点から、適度な誘目度で副コンテンツを表示することが出来る。
【００１３】
本発明のＷＥＢコンテンツ表示プログラムにおいて、
前記副コンテンツ非表示ステップは、
前記副コンテンツに対する指定操作を検知したことを要件として、副コンテンツ非表示処理を中断するステップであることが好ましい。
【００１４】
当該構成のＷＥＢコンテンツ表示プログラムによれば、主コンテンツよりも副コンテンツに注意を向けている蓋然性が高い状況で副コンテンツの表示が続行される。この結果、ユーザが注意を向けている副コンテンツが非表示になることが防止される。
【００１５】
本発明のＷＥＢコンテンツ表示プログラムにおいて、
前記情報端末に、
前記副コンテンツを主コンテンツの一部に重畳して表示するように、前記副コンテンツ表示ステップを実行させ、かつ、
前記表示画面の表示変更処理終了後からの経過時間に応じて、前記副コンテンツの一部または全部を透けさせる割合を示す表示透明度を上げる副コンテンツ透明化ステップを実行させることが好ましい。
【００１６】
当該構成のＷＥＢコンテンツ表示プログラムによれば、表示変更処理終了後からの経過時間に応じて副コンテンツの一部または全部の表示透明度があげられるため、副コンテンツの表示によって主コンテンツが隠れたたままという事態が防止される。一方で、副コンテンツは表示透明度があがるとしても、その間表示領域に表示されているので、ユーザは当該副コンテンツを認識することが出来る。この結果、主コンテンツが副コンテンツの表示により隠されることに起因するユーザの不快感を解消又は軽減する観点から、適度な誘目度で副コンテンツを表示することが出来る。
【００１７】
本発明のＷＥＢコンテンツ表示プログラムにおいて、
前記副コンテンツ透明化ステップは、
前記副コンテンツに対する指定操作を検知したことを要件として、前記副コンテンツの一部または全部の表示透明度を下げるステップであることが好ましい。
【００１８】
当該構成のＷＥＢコンテンツ表示プログラムによれば、ユーザが注意を向けている副コンテンツの一部または全部の表示透明度が下げられるので、ユーザが注意を向けている副コンテンツの認識が容易になる。
【００１９】
本発明のＷＥＢコンテンツ表示方法は、情報を表示する表示画面と、主コンテンツに対して前記主コンテンツの表示範囲をずらす方向を指定方向として認識し、前記主コンテンツの表示範囲を前記指定方向に連続的又は断続的に変化させる表示変更処理により前記主コンテンツの全部を前記表示画面の一部または全部の領域である表示領域に表示する表示手段とを備える情報端末が実行する方法であって、
前記表示変更処理が開始されたことを要件として、前記主コンテンツとは異なる副コンテンツを前記表示領域の一部に表示させる副コンテンツ表示ステップを含むことを特徴とする。
【００２０】
本発明のＷＥＢコンテンツ表示方法によれば、上述した本発明のＷＥＢコンテンツ表示プログラムと同様の作用効果を得ることができる。
【００２１】
本発明の情報端末は、
情報を表示する表示画面と、
主コンテンツに対して前記主コンテンツの表示範囲をずらす方向を指定方向として認識し、前記主コンテンツの表示範囲を前記指定方向に連続的又は断続的に変化させる表示変更処理により前記主コンテンツの全部を前記表示画面の一部または全部の領域である表示領域に表示する表示手段と、
前記表示変更処理が開始されたことを要件として、前記主コンテンツとは異なる副コンテンツを前記表示領域の一部に表示させるコンテンツ呼出手段とを備える。
【００２２】
本発明の情報端末によれば、上述した本発明のＷＥＢコンテンツ表示プログラムと同様の作用効果を得ることができる。
【図面の簡単な説明】
【００２３】
【図１】全体構成図。
【図２】リンク付コンテンツ表示・非表示処理のフローチャート
【図３】ブラウザの表示エリア、コンテンツ及びリンク付コンテンツの表示位置との関係を示す図。
【図４】経過時間とリンク付コンテンツの表示・非表示・透明度の変化との関係を示す図。
【発明を実施するための形態】
【００２４】
図１〜図４を参照して、本発明の実施形態について説明する。
【００２５】
（全体システムの構成）
本実施形態において、第１サーバ１１０及び第２サーバ１２０を含むサーバ群１と、ＰＣ２１０、及び携帯端末２２０等のクライアントを含むクライアント群２とがネットワーク（インターネット）を介して相互に接続されている。
【００２６】
（サーバ群の構成）
第１サーバ１１０は、コンピュータ（ＣＰＵ等の演算処理装置並びに主記憶装置、副記憶装置、及び補助記憶装置等の記憶装置を備えている）により構成されている。第１サーバ１１０は、クライアントからのコンテンツ取得要求を受信し、ニュース又はブログ等の主コンテンツＣ１と、ＪａｖａＳｃｒｉｐｔ（登録商標）等のクライアントで実行されるプログラムＣ２とを含むレスポンスＲ１を当該クライアントに送信する第１コンテンツ配信部１１１を備える。
【００２７】
第２サーバ１２０は、コンピュータ（ＣＰＵ等の演算処理装置並びに主記憶装置、副記憶装置、及び補助記憶装置等の記憶装置を備えている。）により構成されている。第２サーバ１２０は、クライアントからのリンク付コンテンツ取得要求を受信し、商品サイトへのリンクを含む広告画像等のリンク付コンテンツＣ３を含むレスポンスＲ２をクライアントに送信する第２コンテンツ配信部１２１を備える。
【００２８】
本発明の構成要素が担当の情報演算処理を実行するとは、当該構成要素がメモリ等の記憶装置からプログラムを読み取り、当該プログラムにしたがって当該担当の情報演算処理を実行するようにプログラムされていることを意味する。第１コンテンツ配信部１１１および第２コンテンツ配信部１２１のそれぞれは、その一部または全部が物理的に独立別個のハードウェアにより構成されていてもよい。
【００２９】
（クライアント群の構成）
ＰＣ２１０は、家庭用ネットワークに接続されたコンピュータ（情報を表示する表示画面、ＣＰＵ等の演算処理装置並びに主記憶装置、副記憶装置、及び補助記憶装置等の記憶装置を備えている。）により構成されている。ＰＣ２１０には、ＰＣ用ブラウザ２１１がインストールされている。ＰＣ用ブラウザ２１１は、ＰＣ２１０の入力装置（マウス、キーボード等）を通じたユーザの操作に基づき、各サーバと通信を行い、各サーバから受信した情報を所定の形式でＰＣ２１０の出力装置に出力（表示画面に表示）するように構成されている。なお、ＰＣ２１０が本発明の「情報端末」に相当し、ＰＣ用ブラウザ２１１が本発明の「表示手段」に相当する。
【００３０】
ＰＣ用ブラウザ２１１がダウンロードしたプログラムＣ２をＰＣ２１０が読み込むことにより、ＰＣ２１０が後述のリンク付コンテンツ表示・非表示処理を実行するコンテンツ呼出部２１２として機能する。
【００３１】
ＰＣ２１０に代えて、モバイルネットワークに接続されたタブレット型端末または携帯電話など、ユーザによる携帯が可能なようにサイズ、形状および重量が設計されているあらゆる携帯可能な情報端末である携帯端末２２０（マイクロコンピュータ等のコンピュータ（情報を表示する表示画面、ＣＰＵ等の演算処理装置並びに主記憶装置、副記憶装置、及び補助記憶装置等の記憶装置を備えている。）を含んで構成される。）により構成されてもよい。
【００３２】
（リンク付コンテンツ表示・非表示処理）
ＰＣ用ブラウザ２１１が主コンテンツＣ１及びプログラムＣ２をダウンロードしてＰＣ２１０のメモリ等の記憶装置にプログラムＣ２を記憶させた時点で、当該プログラムＣ２を記憶装置から読み出したＰＣ２１０の制御装置が本処理を実行する。この結果、ＰＣ２１０がコンテンツ呼出部２１２として機能する。同時に、ＰＣ用ブラウザ２１１は、その表示エリアＡに、その表示エリアＡの大きさと主コンテンツＣ１の内容とに応じて、主コンテンツＣ１の一部または全部を表示する。
【００３３】
なお、図４において、時刻Ｔ０は、主コンテンツＣ１のダウンロードが開始された時刻を示す。
【００３４】
コンテンツ呼出部２１２は、第２サーバ１２０との通信により、リンク付コンテンツＣ３を取得する（図２／ＳＴＥＰ１０２）。これに代えて、予めプログラムＣ２とともにダウンロードされたリンク付コンテンツＣ３がコンテンツ呼出部２１２に読み込まれてもよい。なお、読み込まれたリンク付コンテンツＣ３は、図４（ａ）の時刻Ｔ０〜Ｔ１に示されるように、後述する図２／ＳＴＥＰ１１０ａ又は図２／ＳＴＥＰ１１０ｂの処理が実行されるまで表示エリアＡ上には表示されない。
【００３５】
コンテンツ呼出部２１２は、主コンテンツＣ１の全部を表示するために、スクロールが必要か否かを判定する（図２／ＳＴＥＰ１０４）。より詳しくは、コンテンツ呼出部２１２は、主コンテンツＣ１に含まれる文字、画像等の大きさから定まる縦表示幅ＣＬ１、横表示幅ＣＬ２のそれぞれが、ＰＣ用ブラウザ２１１の表示設定から定まる表示エリア縦幅ＡＬ１、表示エリア横幅ＡＬ２のそれぞれよりも大きいか否かを判定する。縦表示幅ＣＬ１が表示エリア縦幅ＡＬ１以下であり、かつ、横表示幅ＣＬ２が表示エリア横幅ＡＬ２以下である場合、スクロールが不要と判断される（図２／ＳＴＥＰ１０４‥ＮＯ）一方、図３（ａ）に示されるように、縦表示幅ＣＬ１が表示エリア縦幅ＡＬ１を超えている場合、又はこれに代えてもしくは加えて横表示幅ＣＬ２が表示エリア横幅ＡＬ２を超えている場合、スクロールが必要と判断される（図２／ＳＴＥＰ１０４‥ＹＥＳ）。
【００３６】
なお、スクロールが本発明の「表示変更処理」に相当する。
【００３７】
スクロールが必要と判断された場合（図２／ＳＴＥＰ１０４‥ＹＥＳ）、コンテンツ呼出部２１２は、ＰＣ用ブラウザ２１１によりスクロールが開始されたか否かを判定する（図２／ＳＴＥＰ１０６ａ）。スクロールは、ＰＣ用ブラウザ２１１の表示エリアＡ内で主コンテンツＣ１のテキスト及び画像の表示されている範囲をある方向に連続的又は断続的に変更する処理である。スクロールは、表示画面をスクロールさせるための所定のスクロール操作（マウスによるブラウザの所定箇所のクリック、ドラッグ、マウスホイール操作、キーボードによるページアップボタン・ダウン操作、キーボードの上下左右ボタン操作、タブレットにおけるフリック操作等）により行われることが多い。このため、コンテンツ呼出部２１２は、スクロール操作の有無を検知することにより、スクロールが開始されたか否かを判定してもよい。図４において、時刻Ｔ１は、スクロールが開始した時刻を示す。
【００３８】
たとえば、ＰＣ用ブラウザ２１１が、所定時間経過を要件として自動的にスクロールを開始するように構成されている場合もある。このような場合にも対応するため、当該スクロールの開始をＰＣ用ブラウザ２１１の動作状況から取得することにより、スクロールが開始されたか否かを判定してもよい。
【００３９】
当該判定結果が否定的である場合（図２／ＳＴＥＰ１０６ａ‥ＮＯ）、コンテンツ呼出部２１２は、所定時間待機後（図２／ＳＴＥＰ１０６ｂ）、再度図２／ＳＴＥＰ１０６ａの判定を行う。
【００４０】
当該判定結果が肯定的である場合（図２／ＳＴＥＰ１０６ａ‥ＹＥＳ）、コンテンツ呼出部２１２は、主コンテンツＣ１に対してその表示範囲がずれる方向であるスクロールの方向（本発明の「指定方向」に相当する。）を取得する（図２／ＳＴＥＰ１０８）。ここで、スクロールの方向には、上下左右の４方向が存在する。たとえば、下方向のスクロールとは、表示エリアＡよりも下方向に存在する主コンテンツＣ１の内容Ｃ１１を読み込んで表示エリアＡの下方向に表示するとともに、表示エリアＡの上方に表示されていた主コンテンツＣ１の内容Ｃ１２を非表示にする（スクロールアウトする）処理を言う。なお、これに代えて、スクロールの方向として、斜め方向などが採用されてもよい。
【００４１】
コンテンツ呼出部２１２は、ＰＣ用ブラウザ２１１の表示エリアＡのうち、指定方向に偏在している指定領域とは異なる領域に、図２／ＳＴＥＰ１０２で取得したリンク付コンテンツＣ３を主コンテンツＣ１に重畳して表示する（図２／ＳＴＥＰ１１０ａ）。また、コンテンツ呼出部２１２は、併せて、リンク付コンテンツＣ３の一部または全部の可変な不透明度Ｐを初期値ＰＦ（完全不透明）に設定する。リンク付コンテンツＣ３の一部または全部の不透明度は、リンク付コンテンツＣ３の一部または全部を透過させない割合を示す値であり、リンク付コンテンツＣ３の不透明度が高いほど、リンク付コンテンツＣ３の一部または全部が不透明となる。リンク付コンテンツ呼出部２１２は、リンク付コンテンツＣ３の一部（たとえば、リンク付コンテンツＣ３の外枠部分を除いた部分）に可変な不透明度を設定した場合、リンク付コンテンツＣ３の残部（たとえば、リンク付コンテンツＣ３の外枠部分）に固定的な不透明度（たとえば完全不透明を示すＰＦ）を設定する。  ここで、指定領域とは、指定方向に垂直な方向に延在する線分により表示エリアＡが分割された際に、当該指定方向側の分割領域、または、表示エリアＡにおける基準点から周方向に等間隔で放射状に延びる複数の線分により画定される複数の象限のうち、当該基準点から指定方向に延びるベクトルが存在する象限に相当する領域をいう。より具体的には、図３（ｂ）に示されるように、指定方向Ｄ１に垂直な方向に延在する線分Ｌ１により、表示エリアＡが分割された際に、当該指定方向Ｄ１側の分割領域Ｕ１が指定領域に相当する。また、図３（ｃ）に示されるように、基準点ＡＰ（たとえば表示エリアＡの中心点）から周方向に等間隔で放射状に延びる複数の線分Ｌ２〜Ｌ５により画定される複数の象限Ｏ１〜４のうち、当該基準点ＡＰから指定方向Ｄ２に延びるベクトルＶ１が存在する象限Ｏ１に相当する領域Ｕ２が指定領域に相当する。
【００４２】
より具体的には、図３（ｂ）に示されるように、下方向へのスクロールが行われている場合、コンテンツ呼出部２１２は、ＰＣ用ブラウザ２１１の表示エリアＡのうち、指定領域Ｕ１とは異なる領域である上側領域Ａ１（指定方向Ｄ１に垂直な方向に延在する線分Ｌ１により、表示エリアＡが分割された際に、当該指定方向Ｄ１とは逆方向側の分割領域（の一部領域））にリンク付コンテンツＣ３を表示する。
【００４３】
また、上記に代えて、図３（ｃ）に示されるように、上方向へのスクロールが行われている場合、コンテンツ呼出部２１２は、ＰＣ用ブラウザ２１１の表示エリアＡのうち、指定領域Ｕ２とは異なる領域である下側領域Ａ２（基準点ＡＰから周方向に等間隔で放射状に延びる複数の線分Ｌ２〜Ｌ５により画定される複数の象限Ｏ１〜Ｏ４のうち、当該基準点ＡＰから指定方向Ｄ２と逆方向に延びるベクトルＶ２が存在する象限Ｏ３に相当する領域（の一部領域））にリンク付コンテンツＣ３を表示してもよい。
【００４４】
リンク付コンテンツＣ３は、スクロールが行われている間、表示エリアＡの所定領域Ａ１、Ａ２にそのまま表示され続けてもよいし、主コンテンツＣ１とともにスクロールの対象とされてもよい。
【００４５】
コンテンツ呼出部２１２は、スクロールが終了したか否かを判定する（図２／ＳＴＥＰ１１２ａ）。
【００４６】
当該判定結果が否定的である場合（図２／ＳＴＥＰ１１２ａ‥ＮＯ）、コンテンツ呼出部２１２は、所定時間待機後（図２／ＳＴＥＰ１１２ｂ）、再度図２／ＳＴＥＰ１１２ａの判定を実行する。
【００４７】
当該判定結果が肯定的である場合（図２／ＳＴＥＰ１１２ａ‥ＹＥＳ）、コンテンツ呼出部２１２は、時間変数ｔを初期化（時間変数ｔにゼロを設定）する（図２／ＳＴＥＰ１１４）。図４において、時刻Ｔ２は、スクロールが終了した時刻（時間変数ｔが初期化された時刻）を示す。
【００４８】
コンテンツ呼出部２１２は、時間変数ｔに１を加算する（図２／ＳＴＥＰ１１６）。
【００４９】
コンテンツ呼出部２１２は、リンク付コンテンツＣ３に対する指定操作が行われたか否かを判定する（図２／ＳＴＥＰ１１８）。
【００５０】
リンク付コンテンツＣ３に対する指定操作とは、リンク先サイトの表示要求を送信するために必要な操作（たとえばリンク付コンテンツＣ３をクリックする等の操作）に至る前の準備段階の操作を言う。より具体的には、リンク付コンテンツＣ３が表示されている表示画面上の領域にポインタを置くマウス操作、リンク付コンテンツＣ３をアクティブにするキーボード操作、フリック操作等の操作がリンク付コンテンツＣ３に対する指定操作に該当する。
【００５１】
当該判定結果が否定的である場合（図２／ＳＴＥＰ１１８‥ＮＯ）、コンテンツ呼出部２１２は、リンク付コンテンツＣ３の一部または全部の可変な不透明度Ｐから（ＰＦ−ＰＥ）t／ｔＴを減算する（リンク付コンテンツＣ３の透明化を行う）（図２／ＳＴＥＰ１２０ｂ）。ここで、ＰＥ（ＰＥ＜ＰＦ）は、リンク付コンテンツＣ３の一部または全部の最終的な不透明度Ｐを示し、より具体的には、スクロール終了時刻Ｔ２から所定時間ｔＴ経過後の時刻Ｔ３以降のリンク付コンテンツＣ３の一部または全部の不透明度である。リンク付コンテンツＣ３の一部の可変な不透明度が変更された場合、リンク付コンテンツＣ３の一部（たとえば、リンク付コンテンツＣ３の外枠部分を除いた部分）の不透明さが変化するが、固定的な不透明度が設定されたリンク付コンテンツＣ３の残部（たとえば、リンク付コンテンツＣ３の外枠部分）の不透明さは変化しない。また、コンテンツ呼出部２１２は、リンク付コンテンツＣ３の複数の部分の不透明度（たとえば、リンク付コンテンツＣ３の外枠部分を除いた部分及び外枠部分のぞれぞれの不透明度）を別個に変更してもよい。
【００５２】
この結果、図４（ａ）の時刻Ｔ２〜Ｔ３に示されるように、リンク付コンテンツＣ３の一部または全部の不透明度が経過時間に応じて低下していく。
【００５３】
続く図２／ＳＴＥＰ１２２において、コンテンツ呼出部２１２は、時間変数ｔが所定の閾値ｔＴ以上か否を判定する。図４において、時刻Ｔ３は、スクロールが終了した後に所定時間ｔＴが経過した後の時刻（時間変数ｔがｔＴになった時刻に相当する時刻）を示す。
【００５４】
当該判定結果が否定的である場合（図２／ＳＴＥＰ１２２‥ＮＯ）、コンテンツ呼出部２１２は、図２／ＳＴＥＰ１１６以降の処理を実行する。当該判定結果が肯定的である場合（図２／ＳＴＥＰ１２２‥ＹＥＳ）、コンテンツ呼出部２１２は、本処理を終了する。
【００５５】
図２／ＳＴＥＰ１１８の判定結果が肯定的である場合（図２／ＳＴＥＰ１１８‥ＹＥＳ）、コンテンツ呼出部２１２は、リンク付コンテンツＣ３の一部または全部の不透明度Ｐを初期値ＰＦ（完全不透明）に設定する（図２／ＳＴＥＰ１２０ａ）。図４において、時刻ＴＭは、図２／ＳＴＥＰ１１８の判定結果が肯定的となった時刻を示す。
【００５６】
この結果、図４（ｂ）の時刻ＴＭに示されるように、経過時間に応じて低下していたリンク付コンテンツＣ３の一部または全部の不透明度ＰがＰＦ（完全不透明）に戻る。
【００５７】
図２／ＳＴＥＰ１２０ａの後、コンテンツ呼出部２１２は、本処理を終了する。
【００５８】
また、図２／ＳＴＥＰ１０４の判定結果が否定的であった場合（図２／ＳＴＥＰ１０４‥ＮＯ）、コンテンツ呼出部２１２は、所定時間経過後（図２／ＳＴＥＰ１０６ｃ）、ブラウザの表示エリアＡの上端にリンク付コンテンツＣ３を表示する（図２／ＳＴＥＰ１１０ｂ）。コンテンツ呼出部２１２は、リンク付コンテンツＣ３の一部または全部の不透明度Ｐを初期値ＰＦに設定する。図２／ＳＴＥＰ１１０ｂの処理の後、コンテンツ呼出部２１２は、図２／ＳＴＥＰ１１４以下の処理を実行する。
【００５９】
（本実施形態の効果）
当該構成のＷＥＢコンテンツ表示プログラムＣ２によれば、表示変更処理（スクロール処理）が開始されることを要件として（図２／ＳＴＥＰ１０６ａ‥ＹＥＳ）副コンテンツ（リンク付コンテンツ）Ｃ３が表示領域（表示エリア）Ａの一部の領域Ａ１，Ａ２に表示される。このため、表示変更処理（スクロール処理）が開始されるまでの主コンテンツＣ１に対するユーザの閲覧行為を副コンテンツＣ３が阻害することがない。他方、表示変更処理（スクロール処理）開始後には副コンテンツＣ３が表示領域Ａの一部の領域Ａ１、Ａ２に表示されるので、副コンテンツＣ３をユーザに認識させることが出来る。この結果、主コンテンツＣ１が副コンテンツＣ３の表示により隠されることに起因するユーザの不快感を解消又は軽減する観点から、適度な誘目度で副コンテンツＣ３を表示することが出来る。
【００６０】
表示変更処理（スクロール処理）が実行される場合、ユーザは指定領域Ｕ１，Ｕ２を注視している蓋然性が高い。この点に着目して構成された当該構成のＷＥＢコンテンツ表示プログラムＣ２によれば、表示領域Ａのうち、指定領域Ｕ１、Ｕ２と異なる領域Ａ１，Ａ２に副コンテンツＣ３が表示される。このため、ユーザが注視していると推定される領域（指定領域）Ｕ１，Ｕ２以外の領域に副コンテンツＣ３が表示されることとなる。この結果、ユーザが注視している主コンテンツＣ１が副コンテンツＣ３の表示により隠されることに起因するユーザの不快感を解消又は軽減する観点から、適度な誘目度で副コンテンツＣ３を表示することが出来る。
【００６１】
表示変更処理（スクロール処理）が終わると、ユーザは、表示領域Ａの特定の一方向だけでなく、表示領域Ａ上の様々な領域にも関心を持つようになる蓋然性が高い。この結果、副コンテンツＣ３がユーザが閲覧しようとする主コンテンツＣ１を隠してしまうおそれがある。
【００６２】
当該構成のＷＥＢコンテンツ表示プログラムＣ２によれば、表示変更処理（スクロール処理）終了後からの経過時間ｔＴに応じて副コンテンツＣ３の一部または全部の表示透明度があげられる（不透明度Ｐが下げられる）ため、副コンテンツＣ３の表示によって主コンテンツＣ１が隠れたままという事態が防止される。一方で、副コンテンツＣ３は表示透明度があがる（不透明度Ｐが下がる）としても、その間表示領域Ａに表示されているので、ユーザは当該副コンテンツＣ３を認識することが出来る。この結果、主コンテンツＣ１が副コンテンツＣ３の表示により隠されることに起因するユーザの不快感を解消又は軽減する観点から、適度な誘目度で副コンテンツＣ３を表示することが出来る。  当該構成のＷＥＢコンテンツ表示プログラムＣ２によれば、ユーザが注意を向けている副コンテンツＣ３の表示透明度が下げられる（不透明度Ｐがあげられる）ので、ユーザが注意を向けている副コンテンツＣ３の認識が容易になる。
【００６３】
（変形態様）
本実施形態において、図２／ＳＴＥＰ１１２ａ以降の処理を省略してもよい。
【００６４】
本実施形態の図２／ＳＴＥＰ１１０ａ及び図２／ＳＴＥＰ１１０ｂにおいて、コンテンツ呼出部２１２は、リンク付コンテンツＣ３の一部または全部の不透明度Ｐを初期値ＰＦ（完全不透明）に設定したが、これに代えて、リンク付コンテンツＣ３の一部または全部の不透明度ＰをＰＦよりも小さな値（リンク付コンテンツＣ３が少し透けている状態）に設定してもよい。
【００６５】
本実施形態の図２／ＳＴＥＰ１１０ａ及び図２／ＳＴＥＰ１１０ｂにおいて、リンク付コンテンツＣ３を不透明度ＰＦ（完全不透明）で表示したが、これに代えて、徐々に（たとえば各演算周期又は所定（複数回）の演算周期ごとに）不透明度に所定の値を加算することにより、リンク付コンテンツＣ３の一部または全部の不透明度を連続的又は断続的に増加させてもよい。
【００６６】
本実施形態の図２／ＳＴＥＰ１１４において、表示変更処理（スクロール処理）終了後、直ちにリンク付コンテンツＣ３の一部または全部の不透明度を減少させたが、これに代えて、所定時間経過後にリンク付コンテンツＣ３の一部または全部の不透明度を減少させ始めてもよい。
【００６７】
本実施形態の図２／ＳＴＥＰ１２０ｂにおいて、リンク付コンテンツＣ３の一部または全部の不透明度Ｐから毎回の演算周期で所定の値を減算することにより、図４（ａ）に示されるように連続的にリンク付コンテンツＣ３の一部または全部の不透明度を減少させたが、これに代えて、所定（複数回）の演算周期ごとに不透明度Ｐから所定の値を減算することにより、リンク付コンテンツＣ３の一部または全部の不透明度を断続的に減少させてもよい。
【００６８】
コンテンツ呼出部２１２は、スクロール開始後、時間の経過を待つことなく副コンテンツＣ３を表示したが（図２／ＳＴＥＰ１１０ａ）、これに代えて、スクロール開始後、所定時間を経過してから副コンテンツＣ３を表示してもよい。
【００６９】
本実施形態において、図２／ＳＴＥＰ１０８におけるスクロールの方向の取得処理を省略し、図２／ＳＴＥＰ１１０ａにおいて、所定の領域（たとえば表示エリアＡの上端領域、下端領域、右端領域又は左端領域等）に副コンテンツが表示されるように構成してもよい。
【００７０】
コンテンツ呼出部２１２は、図２／ＳＴＥＰ１１０ａにおいて、指定方向Ｄ１に垂直な方向に延在する線分Ｌ１により、表示エリアＡが分割された際に、当該指定方向Ｄ１とは逆方向側の分割領域（の一部領域）Ａ１に副コンテンツＣ３を表示させたが、これに代えて、指定領域に副コンテンツＣ３を表示させてもよい。
【００７１】
コンテンツ呼出部２１２は、図２／ＳＴＥＰ１１０ａにおいて、一例として、基準点ＡＰから周方向に等間隔で放射状に延びる複数の線分Ｌ２〜Ｌ５により画定される複数の象限Ｏ１〜Ｏ４のうち、当該基準点ＡＰから指定方向Ｄ２と逆方向に延びるベクトルＶ２が存在する象限Ｏ３に相当する領域（の一部領域）Ａ２に副コンテンツＣ３を表示させてもよい旨を述べたが、これに代えて、指定領域に副コンテンツＣ３を表示させてもよいし、基準点ＡＰから周方向に等間隔で放射状に延びる複数の線分Ｌ２〜Ｌ５により画定される複数の象限Ｏ１〜Ｏ４のうち、当該基準点ＡＰから指定方向と異なる方向に延びるベクトルが存在する象限Ｏ２に相当する領域（の一部領域）に副コンテンツＣ３を表示させてもよい。
【００７２】
本実施形態においては、図４（ａ）又は図４（ｂ）に示されるように、コンテンツ呼出部２１２は、徐々にリンク付コンテンツＣ３の不透明度を低下させるように構成されているが、これに加えてまたは代えて、図４（ｃ）に示されるように、所定時間ｔＤが経過することを要件として、リンク付コンテンツＣ３を非表示にする非表示処理を実行するように構成されてもよい。なお、図４において、時刻Ｔ４は、スクロールが終了した後に所定時間ｔＤが経過した後の時刻（時間変数ｔがｔＤになった時刻に相当する時刻）を示す。図４（ｃ）からもわかるように、時刻Ｔ２（スクロール終了後）〜Ｔ４（所定時間ｔＤ経過後）の間、リンク付コンテンツＣ３は表示されたままとなる。
【００７３】
なお、この場合、コンテンツ呼出部２１２は、リンク付コンテンツＣ３を主コンテンツＣ１に重畳させずに表示してもよく、たとえば、主コンテンツＣ１の表示範囲を狭めたうえでリンク付コンテンツＣ３をその省略されたスペースに主コンテンツＣ１に重畳しないように表示してもよい。
【００７４】
当該構成のＷＥＢコンテンツ表示プログラムＣ２によれば、表示変更処理（スクロール処理）終了後から所定時間ｔＤは副コンテンツＣ３が表示されるが、所定時間ｔＤ経過後には副コンテンツＣ３が非表示となる（図４（ｃ）参照）。この結果、副コンテンツＣ３の表示によって主コンテンツＣ１が隠れたたままという事態が防止される。この結果、主コンテンツＣ１が副コンテンツＣ３の表示により隠されることに起因するユーザの不快感を解消又は軽減する観点から、適度な誘目度で副コンテンツＣ３を表示することが出来る。
【００７５】
なお、この場合、図４（ｄ）に示されるように、リンク付コンテンツＣ３に対する指定動作がなされたことを検知することを要件として、前記した副コンテンツの非表示処理を中断してもよい。
【００７６】
当該構成のＷＥＢコンテンツ表示プログラムＣ２によれば、主コンテンツＣ１よりも副コンテンツＣ３に注意を向けている蓋然性が高い状況で副コンテンツＣ３の表示が続行される。この結果、ユーザが注意を向けている副コンテンツＣ３が非表示になることが防止される。
【００７７】
本実施形態では、主コンテンツＣ１のダウンロードに併せてプログラムＣ２がダウンロードされたが、これに代えて、プログラムＣ２が予めＰＣ２１０にインストールされていて、ＰＣ用ブラウザ２１１により、プログラムＣ２が主コンテンツＣ１のダウンロードに応じて呼び出されていてもよい。この場合、主コンテンツＣ１を含むレスポンスに、プログラムＣ２を呼び出す必要がある旨の情報が含まれていることが好ましい。
【００７８】
また、本実施形態の図２／ＳＴＥＰ１１０ａにおいては、副コンテンツＣ３を領域Ａ１又はＡ２に表示させたが、これに代えて、領域Ａ１又はＡ２と異なる領域から徐々に領域Ａ１又はＡ２に向けて副コンテンツＣ３を移動させて表示するスライドイン、フロートイン等により副コンテンツＣ３を表示してもよい。この場合、スクロールの速度が高いほど当該移動速度を高くしてもよい。また、領域Ａ１又はＡ２と異なる領域は、領域Ａ１又はＡ２からみてスクロールの指定方向と異なる方向に存在する領域であってもよいし、領域Ａ１又はＡ２からみてスクロールの指定方向にある領域であってもよい。また、領域Ａ１又はＡ２と異なる領域は、表示エリアＡの外の領域であってもよい。また、副コンテンツＣ３の表示開始時はその一部しか表示させず、徐々にその全体像を表示させるようにしてもよい。また、これに代えて、副コンテンツＣ３を大きく揺らしながら表示させ、徐々に揺れが収まるような、副コンテンツＣ３に着目させるような表示方法で副コンテンツＣ３を表示してもよい。
【００７９】
本実施形態では、主コンテンツの表示範囲を指定方向に連続的又は断続的に変更させる表示変更処理として、スクロールが採用されたが、これに代えて、地図表示等に用いられるスライド、電子書籍のページ捲り等の他の表示変更処理が採用されてもよい。
【符号の説明】
【００８０】
１‥サーバ群、２‥クライアント群、２１０‥ＰＣ（情報端末）、２１１‥ＰＣ用ブラウザ（表示手段）、２１２‥コンテンツ呼出部、Ａ‥表示エリア（表示領域）、Ｃ１‥主コンテンツ、Ｃ２‥プログラム、Ｃ３‥リンク付コンテンツ（副コンテンツ）、ＳＴＥＰ１０６ａ〜ＳＴＥＰ１１０ａ‥副コンテンツ表示ステップ、ＳＴＥＰ１１４〜ＳＴＥＰ１２２‥副コンテンツ透明化ステップ。
【図１】
2016024734.tif 000003
【図２】
2016024734.tif 000004
【図３】
2016024734.tif 000005
【図４】
2016024734.tif 000006